(57)【特許請求の範囲】
【請求項１】
１または複数の収納部により構成される収納トレーであって、
前記１または複数の収納部の１つの収納部は、前記収納トレーの長手方向に延びる縦収納部であり、傾斜底部と凹部を含む底壁部を備えており、
前記傾斜底部は、その一方の端部から他方の端部に向けて上がり勾配を有し、前記一方の端部が前記収納トレーの長手方向の一方端に形成され、
前記傾斜底部は、中間部分において形成される起立壁部により、最も高さのある前部分割傾斜底部と、最も低い後部分割傾斜底部と、前部分割傾斜底部と後部分割傾斜底部の間の中部分割傾斜底部とから成る複数の分割傾斜底部として構成され、
前記複数の分割傾斜底部は、それぞれさらに短手方向にも勾配を有しており、前部分割傾斜底部の短手方向の勾配は一方向に形成されているのに対して中部分割傾斜底部の短手方向の勾配はもう一方向に形成されることで、隣り合う分割傾斜底部どうしの勾配の向きが相違しており、前記後部分割傾斜底部は、その短手方向の中心を通り長手方向に延びる中心軸が最も低くなるように短手方向の勾配が形成されており、
前記凹部は、前記収納トレーの他方端に形成されており、前記傾斜底部の前記他方の端部の最上部よりも下方に延びるように形成されていることを特徴とする収納トレー。  
【請求項２】
内部に収納トレーが取り付けられた引出しキャビネットであって、前記収納トレーとして請求項１に記載のものが用いられていることを特徴とする引出しキャビネット。
【発明の詳細な説明】
【技術分野】
【０００１】
本発明は、収納トレーおよび収納トレーの取り付けられた引出しキャビネットに関するものである。
【背景技術】
【０００２】
従来、引出しキャビネット内に設けられる収納トレーにおいて、収納部が仕切り壁で区画され、収納する物品の種類、長さ、幅などによって、分別して収納することのできる構成が知られている。
【０００３】
例えば、システムキッチンにおいて、ワークトップの外側へ突出している棚部に、水平方向に引き出されるカトラリートレイが収納、引出し可能に設けられ、カトラリートレイが、箸、フォーク、スプーン等の物品を分別して収納可能なように収納部が区画されている構成が知られている（特許文献１参照）。
【先行技術文献】
【特許文献】
【０００４】
【特許文献１】特開２００９−５９６０号公報
【発明の概要】
【発明が解決しようとする課題】
【０００５】
上記従来の収納トレーは、仕切り内に収納された物品が、上下に重なり、取り出しにくいという問題がある。例えば、対となる箸を探し、１膳として取り出す際に、収納トレー内でガチャガチャと箸をかき回すなどの面倒が生じている。
【０００６】
また、特許文献１記載のカトラリートレイでは、収納部の底面がフラットであるために、箸などのように直線状の物品をスムーズに取り出しにくいという問題があった。
【０００７】
本発明は、上記従来の問題を解決することを目的とするものであり、区画された収納部に収納した物品が取り出しやすい構造の収納トレーおよび該収納トレーの取り付けられた引出しキャビネットを実現することを課題とする。
【課題を解決するための手段】
【０００８】
本発明は上記課題を解決するために、１または複数の収納部により構成される収納トレーであって、前記１または複数の収納部の１つの収納部は、前記収納トレーの長手方向に延びる縦収納部であり、傾斜底部と凹部を含む底壁部を備えており、前記傾斜底部は、その一方の端部から他方の端部に向けて上がり勾配を有し、前記一方の端部が前記収納トレーの長手方向の一方端に形成され、前記傾斜底部は、中間部分において形成される起立壁部により、最も高さのある前部分割傾斜底部と、最も低い後部分割傾斜底部と、前部分割傾斜底部と後部分割傾斜底部の間の中部分割傾斜底部とから成る複数の分割傾斜底部として構成され、前記複数の分割傾斜底部は、それぞれさらに短手方向にも勾配を有しており、前部分割傾斜底部の短手方向の勾配は一方向に形成されているのに対して中部分割傾斜底部の短手方向の勾配はもう一方向に形成されることで、隣り合う分割傾斜底部どうしの勾配の向きが相違しており、前記後部分割傾斜底部は、その短手方向の中心を通り長手方向に延びる中心軸が最も低くなるように短手方向の勾配が形成されており、前記凹部は、前記収納トレーの他方端に形成されており、前記傾斜底部の前記他方の端部の最上部よりも下方に延びるように形成されていることを特徴とする収納トレーを提供する。
【００１２】
内部に収納トレーが取り付けられた引出しキャビネットであって、前記収納トレーとして上述のいずれかが用いられていることが好ましい。
【発明の効果】
【００１３】
本発明の収納トレーは、一方の端部から他方の端部に向けて上がり勾配を有する傾斜底部と、他方の端部に下方に延びるように形成される凹部と、を含む底壁部を備えているので、収納した物品が分別されて取り出しやすくなる。
【図面の簡単な説明】
【００１４】
【図１】本発明に係る収納トレーおよび引出しキャビネットの実施例１の全体構成を説明する図である。
【図２】上記実施例１の収納トレーを説明する図であり、（ａ）は平面図であり、（ｂ）、（ｃ）は、それぞれ（ａ）のＢ−Ｂ、Ｃ−Ｃ断面図である。
【図３】（ａ）〜（ｃ）は、上記実施例１の収納トレーの作用（使用状態）を説明する断面図である。
【図４】（ａ）、（ｂ）は、上記実施例１の収納トレーの作用（使用状態）を説明する平面図である。
【図５】本発明に係る収納トレーの実施例２を説明する図であり、（ａ）は平面図であり、（ｂ）は（ａ）のＢ−Ｂ断面図であり、（ｃ）は作用（使用状態）を説明する図である。
【図６】上記実施例２の収納トレーの作用（使用状態）を説明する平面図であり、（ｂ）は（ａ）のＢ−Ｂ断面図である。
【図７】本発明に係る収納トレーの実施例３を説明する図であり、（ａ）は平面図であり、（ｂ）は作用（使用状態）を説明する収納トレーの一部平面図である。
【図８】（ａ）〜（ｃ）は、それぞれ図７（ａ）のＡ−Ａ断面、Ｂ−Ｂ断面、Ｃ−Ｃ断面を示す図である。
【発明を実施するための形態】
【００１５】
本発明に係る収納トレーおよび該収納トレーの取り付けられた引出しキャビネットを実施するための形態を実施例に基づき図面を参照して、以下説明する。本明細書では、引出しおよびキャビネットを正面視したときに、手前側を前方とし、奥側を後方とし、前後方向に直交する左右の方向を左右方向という。
【実施例】
【００１６】
（実施例１）
本発明に係る収納トレーおよび引出しキャビネットの実施例１を、図１〜図４において説明する。図１に示すように、本発明の収納トレー１は、キッチンなどの引出しキャビネット２の引出し３内に取り付けられて使用するものである。
【００１７】
本実施例１の収納トレー１は、図２（ａ）に示すように、平面視で矩形の形状をしており、引出し３内に取り付けられた際に、左右方向（横幅方向）より前後方向に長く、または複数の収納部により構成されている。よって、収納トレー１を説明する場合に、その前後方向を長手方向といい、左右方向を短手方向ともいう。
【００１８】
そして、収納トレー１は、図２（ａ）〜（ｃ）に示すように、前壁５、後壁６、左右の側壁７とで囲まれた収納空間を有し、収納空間は、第１〜第４の４つの収納部１１〜１４により構成されている。
【００１９】
第２〜第４の収納部１２〜１４から成る部分と、第１の収納部１１とは、収納トレー１の長手方向（前後方向）に延びる第１の仕切り壁１８で、左右に区画されている。
【００２０】
第２の収納部１２および第３の収納部１３から成る部分と、第４の収納部１４とは、収納トレー１の短手方向（左右方向）に延びる第２の仕切り壁１９で、前後に区画されている。第２の収納部１２と第３の収納部１３は、収納トレー１の長手方向に延びる第３の仕切り壁２０で、左右に区画されている。第３の仕切り壁２０は、前壁５と第２の仕切り壁１９間に延びている。
【００２１】
第１の収納部１１は、収納トレー１の長手方向に延びる縦収納部であり、図２（ｂ）に示すように、前後方向の一方の端部（本実施例１では後端部）２４から他方の端部（本実施例１では前端部）２５に向けて上がり勾配を有する傾斜底部２６と、他方の端部２５の最上部から他方の端部２５よりも下方に延びるように形成される凹部３０と、を含む底壁部３１を備えている。
【００２２】
要するに、底壁部３１において、第１の収納部１１の傾斜底部２６の他方の端部２５に隣接して、凹部３０が形成されている。収納トレー１を引出し３に取り付ける際に、底壁部３１の傾斜底部２６における、一方の端部２４の下面３２と、他方の端部２５に隣接して形成された凹部３０の下面３３は、引出し３の底に載置される。
【００２３】
図２（ｃ）に示すように、第２の収納部１２および第４の収納部１４の底壁部３６、３７は、傾斜などが形成されていない水平な平坦な面から成る。
【００２４】
（作用）
上記構成から成る実施例１の収納トレー１および該収納トレー１の取り付けられた引出しキャビネット２の作用を説明する。収納トレー１は、図１に示すように、引出しキャビネット２の底に載置するように取り付けられて使用される。
【００２５】
図３（ａ）に示すように、第１の収納部１１の傾斜底部２６に、例えば箸３８を載せると、箸３８は自重で下方に滑り、図３（ｂ）に示すように、箸３８の一端が収納トレー１の後壁６に当接する。この場合、第１の収納部１１に複数の長さの異なる箸３８を無造作に入れた場合に、上方から複数の箸３８をかき混ぜるようにして均すと、箸３８はより自重で下方に滑りやすくなる。
【００２６】
このように箸３８が自重で滑って後壁６に当接すると、複数の箸３８は、それらの下端が一列に整列し、図３（ｃ）、図４（ａ）に示すように、箸３８が、長さごとに揃えられて分別される。これにより、箸３８の長さは一目で分かるので、所望の長さの膳の箸３８を取り出しやすくなる。ここで「膳」とは一対の意味で使用する。
【００２７】
長さの異なる箸３８を１膳ごとに、第１の収納部に入れると、図４（ｂ）に示すように、長さの異なる膳の箸３８ごとに揃えられて収納され、見た目もきれいに揃えられて収納されるだけでなく、所望の長さの箸３８を膳ごとに取り出しやすくなる。
【００２８】
なお、図３（ｃ）は、図４（ａ）、（ｂ）に示すように、箸３８の長さで分別される状態を、側方から模式的に分かりやすく示すものであり、箸３８の長さによって、上下方向に整列することを示すものではない。
【００２９】
第１の収納部１１の他方の端部２５には、凹部３０が設けられているので、図３（ｃ）、図４（ａ）、（ｂ）に示すように、凹部３０にかかるような最も長い箸３８は、凹部３０内に指を入れて摘むことができるので、取り出しやすくなる。
【００３０】
（実施例２）           
本発明に係る収納トレーの実施例２を図５〜図６において説明する。この実施例２の収納トレー４０は、実施例１の収納トレー１と略同じであるので、相違する構成を中心に説明する。実施例２の収納トレー４０において、実施例１の収納トレー１と同じ部分については、同じ符号を使用する。
【００３１】
実施例２の収納トレー４０の第１の収納部４１は、図５（ａ）、（ｂ）に示すように、実施例１の収納トレー１と同様に、前後方向の一方の端部２４から他方の端部２５に向けて上がり勾配を有する傾斜底部４２が設けられている。
【００３２】
この傾斜底部４２には、前後方向の中間部分において１または複数の起立壁部が形成されている。第１の収納部４１の傾斜底部４２は、この複数の起立壁部によって、複数に分割され、複数の分割傾斜底部が形成されている。
【００３３】
具体的には、本実施例２の第１の収納部４１の傾斜底部４２は、その中間部分において、前部起立壁部４３および後部起立壁部４４の２つの起立壁部が形成されており、これによって、傾斜底部４２は、前部分割傾斜底部４７、中部分割傾斜底部４８および後部分割傾斜底部４９の３つの分割傾斜底部に分割されている。
【００３４】
上記実施例２の収納トレー４０の第１の収納部４１に、図５（ｃ）に示すように、長さの異なる複数本の箸３８をバラバラの状態で、まとめて（１本ずつでも良い）入れると、長さの異なる箸３８はそれぞれ自重で下方に滑り、収納トレー４０の後壁６に当接する。
【００３５】
この場合、複数の長さの異なる箸３８を第１の収納部４１に入れた状態で、上方から複数本の箸３８をかき混ぜるようにして均すと、箸３８は、自重で下方により滑りやすくなり、箸３８の長さごとの分別が効果的に行われる。
【００３６】
即ち、図６（ａ）、（ｂ）に示すように、短い箸３８は後部分割傾斜底部４９に載置されて収納され、中位の長さの箸３８はその前部が中部分割傾斜底部４８に載置されて短い箸３８より上方の位置に収納され、最も長い箸３８はその前部が前部分割傾斜底部４７に載置されて中位の長さの箸３８より上方の位置に収納される。
【００３７】
その結果、第１の収納部４１内に無造作に入れた長さの異なる複数の箸３８は、図６（ｂ）に示すように、それぞれ上中下の位置に分別されて収納される。図６（ｂ）は、長さの異なる箸３８が、必ず上中下に重なることを示すものではなく、単にそれぞれの高さ位置を模式的に示す図である。
【００３８】
また、図６（ａ）は、長さの異なる膳の箸３８ごとに第１の収納部４１に入れた場合に、各膳ごとに揃えられているが、長さの異なる複数本の箸３８を無造作にまとめていれた場合は、各膳ごとには揃うとは限らない。
【００３９】
長さの異なる箸３８は、それぞれ上中下の位置において、図６（ａ）に示すように、通常は、収納トレー１の短手方向には異なる位置に収納される。しかし、箸３８の本数が多い場合などでは、長さの異なる箸３８が上中下に重なって位置することもある。
【００４０】
（実施例３）
本発明に係る収納トレーの実施例３を図７、図８において説明する。この実施例３の収納トレー６０は、実施例２の収納トレー４０と略同じであるので、相違する構成を中心に説明する。実施例３の収納トレー６０において、実施例２の収納トレー４０と同じ部分については、同じ符号を使用する。
【００４１】
実施例３の収納トレー６０の第１の収納部６１には、実施例２の収納トレー４０の第１の収納部４１と同様に複数の分割傾斜底部が形成されているが、それら複数の分割傾斜底部は、それぞれさらに短手方向にも勾配を有しており、隣り合う分割傾斜底部どうしの勾配の向きが相違している構成を特徴とする。
【００４２】
具体的には、図７（ａ）に示すように、第１の収納部６１において、傾斜底部６２は、実施例２の収納トレー４０と同様に、前部起立壁部６３および後部起立壁部６４によって、前部分割傾斜底部６７、中部分割傾斜底部６８および後部分割傾斜底部６９に分割されている。
【００４３】
しかしながら、実施例３の収納トレー６０は、その特徴的な構成として、前部分割傾斜底部６７、中部分割傾斜底部６８および後部分割傾斜底部６９は、それぞれ、図８（ａ）〜（ｃ）に示すように、短手方向に勾配が形成されている。この勾配は、それぞれ、図７（ａ）で矢印に示す方向に低くなるように形成されている。
【００４４】
なお、図７（ａ）、図８（ｂ）、（ｃ）に示すように、前部起立壁部６３の上縁は、前部分割傾斜底部６７の前縁であり、後部起立壁部６４の上縁は、中部分割傾斜底部６８の前縁である。
【００４５】
実施例３の収納トレー６０の第１の収納部６１に、互いに長さの異なる箸３８を収納すると、長さの異なる箸３８は、実施例２において図６（ｂ）で示した場合と同様に、上下方向に分離される。
【００４６】
さらに、前部分割傾斜底部６４、中部分割傾斜底部６５および分割傾斜底部６６にそれぞれ短手方向に形成された勾配によって、長さの異なる箸３８は、図７（ｂ）に示すように、それぞれ短手方向の低い位置に滑って移動し分離される。この結果、長さの異なる箸３８は、さらに見た目で分かり易い状態に分別される。
【００４７】
以上、本発明に係る収納トレーおよび収納トレーの取り付けられた引出しキャビネット２を実施するための最良の形態を実施例に基づいて説明したが、本発明はこのような実施例に限定されるものではなく、特許請求の範囲に記載された技術的事項の範囲内でいろいろな実施例があることは言うまでもない。なお、本明細書において、収納トレーを引出しキャビネットに取り付けるとは、収納トレーを引出しキャビネットに着脱自在に載置するものも含む概念である、
【産業上の利用可能性】
【００４８】
本発明に係る収納トレーおよび収納トレーの取り付けられた引出しキャビネットは上記のような構成であるから、キッチンの引出しキャビネットに限らず、一般家具用、ビジネス用、工具用など各種の用途に使用される引出しキャビネットにも適用可能である。
【符号の説明】
【００４９】
１  収納トレー                                 
２  引出しキャビネット                         
３  引出し                                     
５  前壁                                       
６  後壁                                       
７  側壁                                       
１１  第１の収納部（縦収納部）                             
１２  第２の収納部                             
１３  第３の収納部                             
１４  第４の収納部                             
１８  第１の仕切り壁                           
１９  第２の仕切り壁                           
２０  第３の仕切り壁                           
２４  収納トレーの一方の端部                   
２５  収納トレーの他方の端部                   
２６  傾斜底部 
２７  他方の端部の最上部                                
３０  凹部                                     
３１  底壁部                                   
３２  一方の端部の下面                         
３３  凹部の下面                               
３６  第２の収納部の底壁部                       
３７  第４の収納部の底壁部                       
３８  箸                                       
４０  収納トレー                               
４１  第１の収納部                             
４２  傾斜底部                                 
４３  前部起立壁部                             
４４  後部起立壁部                             
４７  前部分割傾斜底部                             
４８  中部分割傾斜底部                             
４９  後部分割傾斜底部                             
６０  収納トレー                               
６１  第１の収納部  
６２  傾斜底部
６３  前部起立壁部
６４  後部起立壁部
６７  前部分割傾斜底部
６８  中部分割傾斜底部
６９  後部分割傾斜底部
【図１】
0006630049.tif 000002
【図２】
0006630049.tif 000003
【図３】
0006630049.tif 000004
【図４】
0006630049.tif 000005
【図５】
0006630049.tif 000006
【図６】
0006630049.tif 000007
【図７】
0006630049.tif 000008
【図８】
0006630049.tif 000009